(57)【要約】【課題】  主に間口幅寸法が狭く奥行き長さ寸法が広い紙箱で且つ背面板の上端延長上に展示板を起立形成する包装箱において、間口幅寸法に比して大きな横幅を有する展示板を有する展示兼用紙箱を提供する。【解決手段】  貼着板、左側面板、正面板、右側面板、背面板を順に連設し、背面板の上部延長上に横折線を介して蓋面板、展示板を順に延設し、蓋面板が両側端をそれぞれ切線とする区設折線で背面板寄りの領域を支持部、展示板寄りの領域を貼着部にそれぞれ区設され、貼着部の所定位置に配した点より、区設折線の一方の側端の点へは斜め切線を、他方の側端の点へは斜め折線をそれぞれ設け、区設折線と斜め切線と斜め折線とに囲繞された三角形部分を折返可動部とし、折返可動部を除く貼着部が展示板に貼着され、背面板の内面に貼着板を貼着して角筒状胴部を形成し、且つ底部を閉鎖してなる展示兼用紙箱。【選択図】        図３
2009091044.tif 000002
【特許請求の範囲】
【請求項１】
縦折線を介して貼着板、左側面板、正面板、右側面板、背面板を順に連設し、前記背面板の上部延長上に横折線を介して蓋面板、展示板を順に延設し、前記蓋面板が前記各横折線と平行で両側端をそれぞれ切線とする区設折線で前記背面板寄りの領域を支持部、前記展示板寄りの領域を貼着部にそれぞれ区設されるとともに、前記貼着部の所定位置に配した点より、前記区設折線の一方の側端の点へは斜め切線を、他方の側端の点へは斜め折線をそれぞれ設け、前記区設折線と前記斜め切線と前記斜め折線とに囲繞された三角形部分を折返可動部とし、該折返可動部を除く前記貼着部が前記展示板に貼着され、前記背面板の内面に前記貼着板を貼着して角筒状胴部を形成し、且つ底部を閉鎖してなる展示兼用紙箱。
【請求項２】
前記正面板、左側面板及び右側面板の上端縁延長上に折線を介してそれぞれ耳片を延設し、前記正面板と耳片との間の折線略中央部分に差し込み溝を穿設するとともに、前記展示板の下端辺略中央部に上向き略Ｕ字状の差し込み片を穿設してなることを特徴とする請求項１記載の展示兼用紙箱。
【請求項３】
前記角筒状胴部の上端縁に天部構成板を延設し、前記蓋面板および展示板を内包して天部を閉鎖することを特徴とする請求項１記載の展示兼用紙箱。
【請求項４】
折線を介して貼着板、天面板、正面板、底面板、背面板、蓋面板、展示板を順に連設し、前記蓋面板が前記折線と平行で両側端をそれぞれ切線とする区設折線で前記背面板寄りの領域を支持部、前記展示板寄りの領域を貼着部にそれぞれ区設されるとともに、前記貼着部の所定位置に配した点より、前記区設折線の一方の側端の点へは斜め切線を、他方の側端の点へは斜め折線をそれぞれ設け、前記区設折線と前記斜め切線と前記斜め折線とに囲繞された三角形部分を折返可動部とし、該折返可動部を除く前記貼着部が前記展示板に貼着され、前記背面板の内面に前記貼着板を貼着して角筒状胴部を形成し、且つ該角筒状胴部の両側面を閉鎖してなる展示兼用紙箱。
【発明の詳細な説明】
【技術分野】
【０００１】
本発明は、主に間口幅寸法が狭く奥行き長さ寸法が広い紙箱で、後面板の延長上に蓋面板と展示板を連設する包装箱に関し、詳しくは前記展示板が間口幅寸法に比して大きな幅を有することを特徴として展示に供することのできる展示兼用紙箱に関する。
【背景技術】
【０００２】
従来、段ボール輸送箱に収容される単位ケースは、板紙等を打ち抜き形成される紙箱が用いられ、例えば菓子類、食品類の小物商品が１０個やダースの倍数を単位として充填包装され、小売店頭に搬送されて陳列販売用の集合ケースとして、包装・搬送並びに展示販売に供されてきた。現在は、容量の大きな飲料や洗剤等生活雑貨類が、段ボール輸送箱の直接開梱による大量陳列や大量販売に供されている一方、前記小型商品類は小単位の包装箱による配送、陳列販売が行なわれている。
【０００３】
小単位の包装箱による陳列販売では、自社製品の特異性や有利性を告知すべく、競合する他社製品との識別性や、商品の個包装におけるデザイン性に優れることは勿論、集合体として小単位の包装箱自体での識別性やデザイン性に優れた包装箱が必要とされている。しかしながら、菓子類に限らず、各商品群において多種多様な商品が市場に上梓されるため、所謂フェース取り（自社商品が占有できるスペース）は極めて激烈であり、占有できる間口は益々狭くなっているのが現状である。この為、小単位の包装箱も間口幅寸法が狭く奥行き長さ寸法が比率的に広くなる傾向が進んであり、小単位の包装箱自体での識別性やデザイン性に優れた包装箱が要請されるものである。
そこで、奥行き長さ寸法の広い包装箱において、バランスの悪い面付け構造を排して、使用材料の無駄をなくすと共に、簡単な操作で背面板延長上に展示板を設けることのできる展示容器が提案されている。
【特許文献１】実公昭５７−１５１３３号公報
【０００４】
しかしながら、特許文献１に見られるような折曲展示容器では、奥行き長さ寸法が大きくなると、背面板の延長上上部に形成される展示板は、二つ折りされても高さがある為、現在の小売店頭状態では棚板間に入りきらず、使用されないまま切除される状態となっており、効果的な展示が行え且つ小売店頭で使い易い展示容器が求められていた。
【発明の開示】
【発明が解決しようとする課題】
【０００５】
そこで、本発明の目的は、上記問題を解決するためになしたものであって、主に間口幅寸法が狭く奥行き長さ寸法が広い紙箱で且つ背面板の上端延長上に展示板を起立形成する包装箱において、間口幅寸法に比して大きな横幅を有する展示板を有する展示兼用紙箱を提供することにある。
【課題を解決するための手段】
【０００６】
上記課題を解決するため、請求項１の発明は、縦折線を介して貼着板、左側面板、正面板、右側面板、背面板を順に連設し、前記背面板の上部延長上に横折線を介して蓋面板、展示板を順に延設し、前記蓋面板が前記各横折線と平行で両側端をそれぞれ切線とする区設折線で前記背面板寄りの領域を支持部、前記展示板寄りの領域を貼着部にそれぞれ区設されるとともに、前記貼着部の所定位置に配した点より、前記区設折線の一方の側端の点へは斜め切線を、他方の側端の点へは斜め折線をそれぞれ設け、前記区設折線と前記斜め切線と前記斜め折線とに囲繞された三角形部分を折返可動部とし、該折返可動部を除く前記貼着部が前記展示板に貼着され、前記背面板の内面に前記貼着板を貼着して角筒状胴部を形成し、且つ底部を閉鎖してなる展示兼用紙箱である。
【０００７】
請求項２の発明は、前記正面板、左側面板及び右側面板の上端縁延長上に折線を介してそれぞれ耳片を延設し、前記正面板と耳片との間の折線略中央部分に差し込み溝を穿設するとともに、前記展示板の下端辺略中央部に上向き略Ｕ字状の差し込み片を穿設してなることを特徴とする請求項１記載の展示兼用紙箱である。
【０００８】
請求項３の発明は、前記角筒状胴部の上端縁に天部構成板を延設し、前記蓋面板および展示板を内包して天部を閉鎖することを特徴とする請求項１記載の展示兼用紙箱である。
【０００９】
請求項４の発明は、折線を介して貼着板、天面板、正面板、底面板、背面板、蓋面板、展示板を順に連設し、前記蓋面板が前記折線と平行で両側端をそれぞれ切線とする区設折線で前記背面板寄りの領域を支持部、前記展示板寄りの領域を貼着部にそれぞれ区設されるとともに、前記貼着部の所定位置に配した点より、前記区設折線の一方の側端の点へは斜め切線を、他方の側端の点へは斜め折線をそれぞれ設け、前記区設折線と前記斜め切線と前記斜め折線とに囲繞された三角形部分を折返可動部とし、該折返可動部を除く前記貼着部が前記展示板に貼着され、前記背面板の内面に前記貼着板を貼着して角筒状胴部を形成し、且つ該角筒状胴部の両側面を閉鎖してなる展示兼用紙箱である。
【発明の効果】
【００１０】
本発明の展示兼用紙箱は、主に間口幅寸法が狭く奥行き長さ寸法が広い紙箱で、背面板の上端延長上に展示板を起立形成する包装箱で、背面板の上端縁に蓋面板、展示板を連設し、蓋面板の下半部を区設する折線と、該折線上の二点から発する斜め切線と斜め折線と、前記折線上の二点から両側端に渉る切線とを刻設し、蓋面板の上半部と展示板とを貼着した構成で、開梱の後、蓋面板及び蓋面板の上半部と貼着されて一体となした展示板を折線で折り曲げながら、三角形状の折返可動部で折り返すことにより、展示板が所定の角度に廻動した状態で、背面板の上端に紙箱の間口より幅広い状態で展示されるので、同一場所で小売販売される他社商品に比べ際立って目立ち、消費者が識別しやすいという効果がある。また前記折返可動部を形成する三角形の角度を変化させると、展示板が斜めに傾いた状態となる等、より消費者への訴求力の強い展示状態とすることも可能である。
【００１１】
本発明の展示兼用紙箱は、前述の如く展示板部分の廻動によって、展示板が紙箱の間口より幅広に展示されるので、際立って目立つばかりでなく、高さ方向を低くすることが可能であるので、小売店頭の棚に入り易く、効果的に使用することができる。
また、展示板の廻動操作は折り曲げと折り返しの操作で簡便に行うことができ、さらに
展示板に設けた突起を背面板若しくは背面板上端に係合させることにより、展示位置を保持することができるので、小売店頭での操作性に優れている。
【００１２】
さらに、本発明に係る展示兼用紙箱の実施例によれば、胴部の上部すなわち蓋面が、蓋面板と展示板との二重構造となっているため強度があり、外部からの衝撃に強いばかりでなく平面性に優れており、胴部を構成する正面板及び左右両側面板の延長上からはそれそれ耳片が延設されているので、蓋面の閉鎖において高い密接状態で閉鎖されており、埃等の進入を少なくできるという効果がある。
【００１３】
また、本発明に係る展示兼用紙箱の他の実施例によれば、蓋面板に貼着された展示板部分を蓋部として利用しないことにより、展示板部分に差し込み片や係合突起などの補助要素を附加することが無いので、展示の際の見栄えを良くすることができる。
【００１４】
本発明に係る展示兼用紙箱の、さらに他の実施例に拠れば、密閉された個装紙箱の一部延長上を展示板とし、これを廻動させたので、天面板の意匠との関連によるユニークな外観意匠表現が可能となる。
【発明を実施するための最良の形態】
【００１５】
上記本発明について、図面等を用いて以下に詳述する。図１は本発明に係る展示兼用紙箱の実施例のブランク状態を示す展開平面図。図２は同じく実施例の組み立て途中の状態を示す説明用斜視図。図３は同じく実施例の組み立て完了状態を示す説明用斜視図。図４は同じく実施例の展示板操作の途中を背面板側から見た説明用斜視図。図５は同じく実施例の展示板操作の完了状態を示す説明用斜視図。図６は本発明に係る展示兼用紙箱の、他の実施例のブランク状態を示す展開平面図。図７は同じく他の実施例の展示状態を示す説明用斜視図。図８は本発明に係る展示兼用紙箱の、さらに他の実施例のブランク状態を示す展開平面図。図９（ａ）は同じく、さらに他の実施例の、組み立て途中の状態を示す説明用斜視図。（ｂ）は同じく、さらに他の実施例の組み立て完了状態を示す説明用斜視図。図１０（ａ）は同じく、さらに他の実施例の、展示板操作の途中を背面板側から見た説明用斜視図。（ｂ）は同じく、さらに他の実施例の、展示板操作の完了状態を示す説明用斜視図である。
【００１６】
図１は本発明に係る展示兼用紙箱の実施例のブランク状態を示す展開平面図で、板紙等シート材を打抜き加工して形成されるブランクＡ’は、右から順に折線Ｌ１、Ｌ２、Ｌ３、Ｌ４を介して連設された背面板１、右側面板２、正面板３、左側面板４、貼着板５により胴部が構成されている。背面板１の上部延長上には、蓋面板６、展示板７が折線Ｌ５、Ｌ６を介して連設され、前記蓋面板６は、背面板１寄りの下半部を両端に切線Ｌ１０及びＬ１１を設けた折線Ｌ１２で区設される支持部Ｘと、前記折線Ｌ１２両端の二点Ｐ及びＱから発し交点Ｒに至るそれぞれ上方内向き４５度傾斜の斜め切線Ｌ１３と斜め折線Ｌ１４とが刻設され、前記折線Ｌ１２と前記斜め切線Ｌ１３と前記斜め折線Ｌ１４とで形成される直角二等辺三角形の折返可動部Ｙと、該折返可動部Ｙを除く上半部を貼着部Ｚとして構成されている。尚、前記蓋面板６に刻設された切線Ｌ１０、Ｌ１１及び斜め切線Ｌ１３は所定箇所に刃止め部を設けておくことにより、打ち抜き加工及び貼り加工時点は勿論、紙箱の組み立て、輸送時点での切断を発生させないことが望ましい。尚、刃止め部とは、紙器用打ち抜き型において、切線或いは切断線用の切断刃を部分的に削除することにより、打ち抜き加工時点或いは所定の操作時点まで、部分的な切断を発生させない部分構成を言う。
展示板７の下端辺略中央部には折線Ｌ６から上向き略Ｕ字状切線Ｌ１５で囲繞された差し込み片１７が穿設されている。また、正面板３の上部延長上には略中央部に差し込み溝１８を穿設した折線Ｌ７を介して耳片８が延設され、左右両側面板２及び４の上部延長上には折線Ｌ８及びＬ９を介してそれぞれ耳片９及び１０が延設されている。
さらに、前記展示板７の左側辺略中央部に有幅の係合突起１９が突設されると共に、折線Ｌ５上で略中央部に係合孔２０が前記係合突起１９と略同幅に穿設されている。
背面板１、右側面板２、正面板３、左側面板４の下部延長上には底部構成板１１、１２、１３、１４が、それぞれ折線Ｌ１６、Ｌ１７、Ｌ１８、Ｌ１９を介して延設されると共に、前記底部構成板１２及び１４のそれぞれ側端には斜め折線Ｌ２０、Ｌ２１を介して貼着片１５、１６が設けられている。尚、上記底部構造は、実施例に限定されず、他の公知の形式を用いることもできる。
【００１７】
本発明に係る展示兼用紙箱の組み立てにあたって、図示は省略するが、予め、展示板７が折線Ｌ６を用いて折り曲げられ蓋面板６の上半部の貼着部Ｚに貼着され、底部構成板１１、１２、１３、１４が折線Ｌ１６、Ｌ１７、Ｌ１８、Ｌ１９を用いて折り込まれ、斜め折線Ｌ２０、Ｌ２１を折り曲げた貼着片１５、１６でそれぞれ貼着された後、折線Ｌ１及びＬ３を用いて背面板１と貼着片５が貼着され、扁平に折り畳まれたカートンとなる。
【００１８】
図２は本発明に係る展示兼用紙箱の組み立て途中の状態を示す説明用斜視図であって、展示兼用紙箱の起函及び組み立てにあたっては、胴部を構成する背面板１、右側面板２、正面板３、左側面板４を折線Ｌ１、Ｌ２、Ｌ３、Ｌ４を用いてそれぞれ起立させれば同時に、折線Ｌ１６、Ｌ１７、Ｌ１８、Ｌ１９並びに斜め折線Ｌ２０、Ｌ２１が働いて底部が構成される。次いで、開放している天部より所定の収納物Ｍを充填もしくは収納し、正面板３と左右両側面板２及び４のそれぞれ上端縁の折線Ｌ７、Ｌ８及びＬ９を用いて、耳片８、９及び１０を折り曲げた後、折線Ｌ５を用いて蓋面板６を折り曲げると共に、折線６を用いて差し込み片１７を折り曲げて前記正面板の上端辺の折線Ｌ７略中央部に穿設された差し込み溝１８に挿入係止し閉蓋して包装状態が完成し、図３に示す組み立て完了状態となる。このとき、前記蓋面板６は、その上半部Ｚで展示板７と重合貼着されて平面状態となり、耳片８、９及び１０との高い密接状態で当接しており、蓋面側からの埃等の進入を抑えている。
【００１９】
図４は本発明に係る展示兼用紙箱の、実施例の展示板操作の途中を背面板側から見た状態を示す説明用斜視図で、前述した閉蓋状態を解くことにより紙箱上方は開放する。すなわち、差し込み片１７を差し込み溝１８から抜き出すことにより、展示板７の貼着された蓋面板６は開蓋できる状態となり、次に、前記蓋面板６の切線Ｌ１０、Ｌ１１及び斜め切線Ｌ１３の所定箇所に設けられた刃止め部を解除し、先ず斜め折線Ｌ１４を逆折りして展示板７を蓋面板６の支持部Ｘ及び折返可動部Ｙで重合状態から離脱させると共に、折線Ｌ１２を折り曲げることにより、前記蓋面板６の支持部Ｘに前記折返可動部Ｙが重合し、さらに該折返可動部Ｙは貼着部Ｚに重合して、前記展示板７が展示面を９０度横に倒した状態となる。
【００２０】
図５は本発明に係る展示兼用紙箱の、実施例の展示板操作が完了した状態を示す説明用斜視図で、展示板７が展示面を９０度倒した状態のとき、展示板７の左側辺に突設した係合突起１９を折線Ｌ５略中央部に穿設した係合孔２０に差し込んで係合することができるので、展示位置を保持することとなり、展示板が紙箱の幅の両側に張り出した展示状態となるが、前述した蓋面板６の折線による区設位置を変更すること、或いは折線と斜め折線及び斜め切線で形成される折返可動部の三角形の角度を変更することにより、展示板の展示位置や展示状態を変化させることも可能である。
前述のように、本発明は、紙箱の幅に対し奥行き長さの長い紙箱において、紙箱の幅で背面板から立ち上がる展示板を、折り曲げることにより紙箱の幅より広がる展示板とするのみならず、展示板の角度にも変化を附加することができる。
【００２１】
図６は本発明に係る展示兼用紙箱の、他の実施例のブランク状態を示す展開平面図で、板紙等シート材を打抜き加工して形成されるブランクＢ’は、右から順に折線Ｌ１０１、Ｌ１０２、Ｌ１０３、Ｌ１０４を介して連設された背面板１０１、右側面板１０２、正面板１０３、左側面板１０４、貼着板１０５により胴部が構成され、前記背面板１０１の上部延長上には、蓋面板１０６、展示板１０７が折線Ｌ１０５、Ｌ１０６を介して連設され、前記蓋面板１０６は、該蓋面板１０６を天地方向に略二分する両端に切線Ｌ１１０及びＬ１１１を設けた折線Ｌ１１２で区設される支持部Ｘ’と、前記折線Ｌ１１２両端の二点Ｐ’及びＱ’から発し交点Ｒ’に至るそれぞれ上方内向き６０度傾斜の斜め切線Ｌ１１３と斜め折線Ｌ１１４とで形成される正三角形の折返可動部Ｙ’と、該折返可動部Ｙ’を除く上半部を貼着部Ｚ’として構成されている。尚、前述と同じく、前記蓋面板１０６に刻設された切線Ｌ１１０、Ｌ１１１及び斜め切線Ｌ１１３は所定箇所に刃止め部（切線用の切断刃を部分的に削除して切断されない部分を設けることにより所定の操作を行うまでは部分的な切断が発生しないよう施された部分）を設けておくことが望ましい。
又、胴部を構成する前記正面板１０３の底辺から所定距離離れた位置に底辺と平行で二条からなる鉤状破断線Ｌ１１５、Ｌ１１５がそれぞれ刻設されて開封用のジッパー１１７が形成され、さらに該ジッパー１１７は前記正面板１０３の両側端からそれぞれ右側面板１０２、左側面板１０４を斜め上方に横切って連続して刻設形成されている。
【００２２】
正面板１０１の上部延長上には折線Ｌ１０７を介して耳片１０８が延設され、左側面板１０４の上部延長上には折線Ｌ１０８及びＬ１０９を介してそれぞれ蓋板１０９及び差込板１１０が連設されている。また、背面板１０１、右側面板１０２、正面板１０３、左側面板１０４の下部延長上には底部構成板１１１、１１２、１１３、１１４が、それぞれ折線Ｌ１１６、Ｌ１１７、Ｌ１１８、Ｌ１１９を介して延設されると共に、前記底部構成板１１２及び１１４のそれぞれ側端には斜め折線Ｌ１２０、Ｌ１２１を介して貼着片１１５、１１６が設けられている。
【００２３】
本発明に係る展示兼用紙箱の、他の実施例の組み立てにあたっては、先述の実施例と略同様であるので図示は省略するが、予め、展示板１０７が折線Ｌ１０６を用いて折り曲げられ蓋面板１０６上半部の貼着部Ｚ’に貼着され、底部構成板１１１、１１２、１１３、１１４が折線Ｌ１１６、Ｌ１１７、Ｌ１１８、Ｌ１１９を用いて折り込まれ、斜め折線Ｌ１２０、Ｌ１２１を折り曲げた貼着片１１５、１１６でそれぞれ貼着された後、折線Ｌ１０１及びＬ１０３を用いて背面板１０１と貼着片１０５が貼着され、扁平に折り畳まれたカートンとなる。
【００２４】
次に、起函及び組み立てにあたっても、先述の実施例と略同様であるので図示は省略するが、胴部を構成する背面板１０１、右側面板１０２、正面板１０３、左側面板１０４を折線Ｌ１０１、Ｌ１０２、Ｌ１０３、Ｌ１０４を用いてそれぞれ起立させれば同時に、折線Ｌ１１６、Ｌ１１７、Ｌ１１８、Ｌ１１９並びに斜め折線Ｌ１２０、Ｌ１２１が働いて底部が構成される。次いで、開放している天部より所定の収納物Ｍを充填もしくは収納し、背面板１０１及び正面板１０３のそれぞれ上端縁の折線Ｌ１０５及びＬ１０７を用いて、蓋面板１０６及び耳片１０８を折り曲げた後、折線Ｌ１０８を用いて蓋板１０９を折り曲げると共に、折線１０９を用いて差込板１１０を折り曲げて紙箱内に差し込み閉蓋して包装状態が完成する。
【００２５】
本発明に係る展示兼用紙箱の、他の実施例の展示に際しては、先ず前述した閉蓋状態を解く、すなわち差込板１１０を抜き出すことにより蓋板１０９を開き、紙箱上方が開放する。もしくは、正面板１０３の略中央部から二条の鉤状破断線Ｌ１１５、Ｌ１１５で構成されるジッパー１１７を左右方向に破断し、それぞれ右側面板１０２及び左側面板１０４に渉って破断することにより開封し、図７に示すように、紙箱上方を開放することもできる。次に、蓋面板１０６の切線Ｌ１１０、Ｌ１１１及び斜め切線Ｌ１１３の所定箇所に設けられた刃止め部を切断し、先ず斜め折線Ｌ１１４を逆折りして展示板１０７を蓋面板１０６の支持部Ｘ’及び折返可動部Ｙ’での重合状態から離脱させると共に、折線Ｌ１１２を折り曲げることにより、前記蓋面板１０６の支持部Ｘ’に前記折返可動部Ｙ’が重合し、さらに該折返可動部Ｙ’は貼着部Ｚ’に重合して、前記展示板１０７が展示面を６０度横に倒した状態となって、図７の説明用斜視図に示す展示状態となる。
【００２６】
図８は本発明に係る展示兼用紙箱の、さらに他の実施例のブランク状態を示す展開平面図で、板紙等シート材を打抜き加工して形成されるブランクＣ’は、図面上の上から順に、折線Ｌ２０１、Ｌ２０２、Ｌ２０３、Ｌ２０４を介して連設された貼着板２０５、天面板２０４、、正面板２０３、底面板２０２、背面板２０１により形成される胴部と、さらに直列して、折線Ｌ２０５、Ｌ２０６を介して蓋面板２０６、展示板２０７が連設され、前記蓋面板２０６は、背面板２０１寄りの上半部を両端に切線Ｌ２１５及びＬ２１６を設けた折線Ｌ２１７で区設される支持部Ｘとし、前記折線Ｌ２１７両端の二点Ｐ”及びＱ”から発し交点Ｒ”に至るそれぞれ下方内向き４５度傾斜の斜め切線Ｌ２１８と斜め折線Ｌ２１９とが刻設され、前記折線Ｌ２１７と前記斜め切線Ｌ２１８と前記斜め折線Ｌ２１９とで形成される直角二等辺三角形状の折返可動部Ｙ”とし、該折返可動部Ｙ”を除く下半部を貼着部Ｚ”として構成されている。また、前記天面板２０４の右側延長上にはそれぞれ折線Ｌ２０７、Ｌ２０９を介して右側面板２０８、差し込み板２１０が、同じく左側延長上には折線Ｌ２０８、Ｌ２１０を介して左側面板２０９、差し込み板２１１が連設され、さらにまた、正面板２０３及び背面板２０１のそれぞれ両側には、折線Ｌ２１１、Ｌ２１２及び折線Ｌ２１３、Ｌ２１４を介して耳片２１２、２１３及び同じく耳片２１４、２１５が連設されている。
尚、前述の実施例と同様に、前記蓋面板２０６に刻設された切線Ｌ２１５、Ｌ２１６及び斜め切線Ｌ２１８は所定箇所に刃止め部を設けておくことにより、打ち抜き加工及び貼り加工時点は勿論、紙箱の組み立て、輸送時点での切断を発生させないことが望ましい。
展示板２０７の上端辺略中央部には折線Ｌ２０６から下向き略Ｕ字状切線Ｌ２２０で囲繞された差し込み片２１６が穿設されている。また、正面板２０３と天面板２０４間の折線Ｌ２０２には略中央部に差し込み溝２１７が穿設されている。
さらに、前記展示板２０７の右側辺の所定位置には有幅の係合突起２１８が突設されると共に、前記天面板２０４と貼着板２０５間の折線Ｌ２０１上の右端には係合孔２１９が前記係合突起２１８と略同幅に穿設されている。
【００２７】
上記本発明に係る展示兼用紙箱の、さらに他の実施例の組み立てにあたって、図示は省略したが、予め、展示板２０７は折線Ｌ２０６を用いて折り曲げられ蓋面板２０６に重合すると共に、該蓋面板２０６の下半部の貼着部Ｚ”に貼着され、次いで、折線Ｌ２０２、Ｌ２０４を用いて折り畳み、背面板２０３と貼着板２０５が貼着接合されて、扁平に折り畳まれる。
【００２８】
図９（ａ）は同じく、さらに他の実施例の、組み立て途中の状態を示す説明用斜視図で、前項のように接合され扁平に折り畳まれたカートンから、折線Ｌ２０１、Ｌ２０２、Ｌ２０３、Ｌ２０４を用いて天面板２０４、正面板２０３、底面板２０２、背面板２０１をそれぞれ起立させて角筒状胴部を形成する。次いで、正面板２０３及び背面板２０１のそれぞれ側端の折線Ｌ２１１、Ｌ２１２及びＬ２１３、Ｌ２１４を用いて耳片２１２、２１３及び２１４、２１５を折り曲げた後、天面板２０４両側端に連設される右側面板２０８、差込板２１０及び左側面板２０９、差込板２１１をそれぞれ折線Ｌ２０７、Ｌ２０９及びＬ２０８、Ｌ２１０を用いて折り曲げ、前記差込板２１０及び２１１を差し込むと共に、背面板２０１の延長上に起立する展示板２０６の上端中央部からＵ字状切線Ｌ２２０により差し込み片２１６が切り起こされている。
次に、折線Ｌ２０５を用いて展示板２０７を重合した蓋面板２０６を折り曲げ、天面板２０４上に重合すると共に、前記展示板２０７から切り起こされた差し込み片２１６を天面板２０４と正面板２０３との間に折線Ｌ２０２に穿設した差し込み溝２１７に差し込んで、図９（ｂ）の組み立て完了状態を示す説明用斜視図となる。
【００２９】
図１０（ａ）は同じく、さらに他の実施例の、展示板操作の途中を背面板側から見た説明用斜視図で、前述した蓋面板２０６及び展示板２０７の天面板２０４への重合状態を解くことにより紙箱の天面板２０４上方は開放する。すなわち、差し込み片２１６を差し込み溝２１７から抜き出すことにより、図９（ｂ）の状態に復元する。次に、前記蓋面板２０６の切線Ｌ２１５、Ｌ２１６及び斜め切線Ｌ２１８の所定箇所に設けられた刃止め部を解除し、先ず斜め折線Ｌ２１９を逆折して展示板２０７を蓋面板２０６の支持部Ｘ”及び折返可動部Ｙ”で重合状態から離脱させると共に、折線Ｌ２１７折り曲げることにより、前記蓋面板２０６の支持部Ｘ”に前記折返可動部Ｙ”が重合し、さらに該折返可動部Ｙ”は貼着部Ｚ”に重合して、前記展示板２０７が展示面を９０度横に倒した状態となり、このとき展示板２０７の側辺に突設された係合突起２１８は天面板２０４と貼着板２０５との間の折線Ｌ２０１右端に穿設された係合孔２１９に係合して、図１０（ｂ）のように、展示板操作の完了状態となる。
【００３０】
上記展示板操作の完了状態では、展示板が紙箱の幅の両側に水平に張り出した展示状態となるが、先の実施例と同様に、蓋面板２０６の折線による区設位置を変更すること、或いは折線と斜め折線及び斜め切線で形成される折返可動部の三角形の角度を変更することにより、展示板の展示位置や展示状態を変化させることも可能である。
本発明は、紙箱の幅に対し奥行き長さの長い紙箱において、紙箱の幅で背面板から立ち上がる展示板を、折り曲げることにより紙箱の幅より広がる展示板とするのみならず、展示板の角度にも変化を附加することができる。
上述のように、本願発明の、さらに他の実施例においては、密閉された個装紙箱の一部延長上を展示板とし、これを廻動させたので、天面板の意匠との関連によるユニークな外観意匠表現、例えば、天面板上の意匠を「迷路」や「籤」のようなものとし、天面板後端での行き先が展示板に渉るような意匠とした場合、展示板の廻動前と廻動後で異なる結果となるような意匠表現が可能であり、単なる包装容器としての機能のみでなく、玩具的な利用が可能となる。
【図面の簡単な説明】
【００３１】
【図１】本発明に係る展示兼用紙箱の実施例のブランク状態を示す展開平面図。
【図２】同じく実施例の組み立て途中の状態を示す説明用斜視図。
【図３】同じく実施例の組み立て完了状態を示す説明用斜視図。
【図４】同じく実施例の展示板操作の途中を背面板側から見た説明用斜視図。
【図５】同じく実施例の展示板操作の完了状態を示す説明用斜視図。
【図６】本発明に係る展示兼用紙箱の、他の実施例のブランク状態を示す展開平面図。
【図７】同じく他の実施例の展示状態を示す説明用斜視図。
【図８】本発明に係る展示兼用紙箱の、さらに他の実施例のブランク状態を示す展開平面図。
【図９】（ａ）は同じく、さらに他の実施例の、組み立て途中の状態を示す説明用斜視図。（ｂ）は同じく、さらに他の実施例の組み立て完了状態を示す説明用斜視図。
【図１０】（ａ）は同じく、さらに他の実施例の、展示板操作の途中を背面板側から見た説明用斜視図。（ｂ）は同じく、さらに他の実施例の、展示板操作の完了状態を示す説明用斜視図。
【符号の説明】
【００３２】
Ａ、Ｂ、Ｃ        展示兼用紙箱
Ａ’、Ｂ’、Ｃ’  ブランク
１                背面板
２                右側面板
３                正面板
４                左側面板
５                貼着板
６                蓋面板
７                展示板
８〜１０          耳片
１１〜１４          底部構成板
１５、１６          貼着片
１７                差し込み片
１８                差し込み溝
１９                係合突起
２０                係合孔
Ｌ１〜Ｌ９          折線
Ｌ１０、Ｌ１１      切線
Ｌ１２              区設折線
Ｌ１３              斜め切線
Ｌ１４              斜め折線
Ｌ１５              Ｕ字状切線
Ｌ１６〜Ｌ１９      折線
Ｌ２０、Ｌ２１      斜め折線
１０１                背面板
１０２                右側面板
１０３                正面板
１０４                左側面板
１０５                貼着板
１０６                蓋面板
１０７                展示板
１０８                耳片
１０９                蓋板
１１０                差込板
１１１〜１１４        底部構成板
１１５、１１６        貼着片
１１７                ジッパー
Ｌ１０１〜Ｌ１０９      折線
Ｌ１１０、Ｌ１１１      切線
Ｌ１１２                区設折線
Ｌ１１３                斜め切線
Ｌ１１４                斜め折線
Ｌ１１５                鉤状破断線
Ｌ１１６〜Ｌ１１９      折線
Ｌ１２０、Ｌ１２１      斜め折線
２０１                背面板
２０２                底面板
２０３                正面板
２０４                天面板
２０５                貼着板
２０６                蓋面板
２０７                展示板
２０８                右側面板
２０９                左側面板
２１０、２１１        差込板
２１２〜２１５        耳片
２１６                差し込み片
２１７                差し込み溝
２１８                係合突起
２１９                係合孔
Ｌ２０１〜Ｌ２１４      折線
Ｌ２１５、Ｌ２１６      切線
Ｌ２１７                区設折線
Ｌ２１８                斜め切線
Ｌ２１９                斜め折線
Ｌ２２０                Ｕ字状切線
Ｐ、Ｑ、Ｒ        点
Ｐ’、Ｑ’、Ｒ’  点
Ｐ”、Ｑ”、Ｒ”  点
Ｘ、Ｘ’、Ｘ”    支持部
Ｙ、Ｙ’、Ｙ”    折返可動部
Ｚ、Ｚ’、Ｚ”    貼着部
Ｍ                収納物
【図１】
2009091044.tif 000003
【図２】
2009091044.tif 000004
【図３】
2009091044.tif 000005
【図４】
2009091044.tif 000006
【図５】
2009091044.tif 000007
【図６】
2009091044.tif 000008
【図７】
2009091044.tif 000009
【図８】
2009091044.tif 000010
【図９】
2009091044.tif 000011
【図１０】
2009091044.tif 000012